(57)【要約】【課題】  重厚にして深みのある立体感を呈し、内部に収納する豪華な料理に相応しい高級感をかもしだすことができる重箱を提供する。【解決手段】  重箱の箱体１を、底板３を設けている外枠２と、この外枠２に内嵌した内枠４とにより形成し、上記外枠２を構成している側壁板2a、2cに松竹梅などの適宜な図柄模様を透かし彫りしてなる透孔６を設けると共に、内枠４を構成している側壁板4a、4cの外面に化粧紙７を貼着してこの化粧紙７を上記透孔６を通じて外部に臨ませ、透孔６の深みと形状をこの化粧紙７によって顕現させてなる意匠的に優れた外観を呈する重箱を構成している。【選択図】    図２
2008195440.tif 000002
【特許請求の範囲】
【請求項１】
複数の箱体を積み重ねると共に最上段の箱体に蓋体を被せてなる重箱であって、各箱体は矩形状の外枠の下端部に底板を一体に設けてなる箱主体とこの箱主体における外枠に内嵌、固定した矩形状の内枠とからなり、上記外枠を形成している四方の側壁板における少なくとも一枚の側壁板に図柄模様等を透かし彫りしてなる透孔を穿設していると共に、この側壁板の内面と該側壁板に重ね合わせた上記内枠を形成している側壁板の外面との間に化粧紙を介在させ、この化粧紙の化粧表面を上記透孔を通じて外部に臨ませていることを特徴とする重箱。
【請求項２】
外枠の側壁板の内面と内枠の側壁板の外面との間に化粧紙を介在させることなく、内枠の側壁板の外面を着色等による化粧層としてこの化粧層を透孔を通じて外部に臨ませていることを特徴とする請求項１に記載の重箱。
【請求項３】
複数の箱体を積み重ねると共に最上段の箱体に蓋体を被せてなる重箱であって、蓋体の天板に図柄模様等を透かし彫りしてなる透孔を穿設していると共にこの天板の下面に化粧紙を介して下壁板を固着してその化粧紙の化粧表面を上記透孔を通じて外部に臨ませていることを特徴とする重箱。
【請求項４】
天板と下壁板との間に化粧紙を介在させることなく、下壁板の上面を化粧層としてこの化粧層を透孔を通じて外部に臨ませていることを特徴とする請求項３に記載の重箱。
【請求項５】
箱体は矩形状の外枠の下端部に底板を一体に設けてなる箱主体とこの箱主体における外枠に内嵌した矩形状の内枠とからなることを特徴とする請求項３に記載の重箱。
【請求項６】
外枠の下端部を底板の下面から下方に突出させて下側嵌合突縁部に形成している一方、内枠の上端部を外枠の上端面から上方に突出させて上記下側嵌合突縁部内に係脱可能な上側嵌合突縁部に形成していることを特徴とする請求項１、請求項２又は請求項５に記載の重箱。
【発明の詳細な説明】
【技術分野】
【０００１】
本発明は、おせち料理や祝儀料理などを収納する箱体を複数段積み重ね、最上段の箱体に蓋体を被せてなる重箱の改良に関するものである。
【背景技術】
【０００２】
通常、重箱は底の浅い矩形状の複数の箱体を、下段側の箱体の上端開口縁に上段側の箱体の底部を嵌め込むことによって積み重ね、最上段の箱体に蓋体を被せるように構成してなるもので、例えば、特許文献１に記載されているように、箱体を外箱と内箱との組み合わせにより形成すると共に、内箱の上端部を外箱の上端面から上方に突出させることによりその突出上端部で上側の嵌合突縁部を形成する一方、外箱の下端部を内箱の外底面周囲から下方に突出させることによりその突出下端部で下側の嵌合突縁部を形成し、下段側の箱体の上側嵌合突縁部に上段側の箱体の下側嵌合突縁部を被嵌状態に嵌め込むことによって安定した積み重ねを可能にすると共に、古くから知られている漆器からなる重箱のような豪華さをかもし出させるために、蓋体を含めて箱体の表面に蒔絵調等の図柄模様を印刷してなるフイルムをラミネートしてなる重箱が知られている。
【特許文献１】登録実用新案第３００８１５１号公報
【発明の開示】
【発明が解決しようとする課題】
【０００３】
しかしながら、重箱を構成する箱体や蓋体の表面に図柄模様等を印刷してなるフイルムをラミネートした場合には、比較的華麗な外観を呈することができても重厚さに欠けて内部に収納している豪華な料理に相応しい高級感を与えることが困難であり、その上、漆器からなる重箱と同様に平面的な図柄模様しか表現できなくて、いま一つ雅趣に乏しいばかりでなく、箱体や蓋体の表面に全面的に図柄模様等を設けているために、部分的に僅かでも傷が付いた場合にはその傷が目立って重箱としての商品価値が著しく低下するといった問題点があった。
【０００４】
また、上記重箱を構成している箱体は、外箱に内箱を嵌め込み状態に組み合わせてなるものであるから、二重底構造となって浅底の箱体の深さが更に浅くなり、容積が減少するばかりでなく、これらの外箱と内箱との組み合わせ作業に手間を要するといった問題点がある。
【０００５】
本発明はこのような問題点に鑑みてなされたもので、その目的とするところは、重厚にして且つ深みのある立体感を呈して内部に収納する豪華な料理に相応しい高級感をかもし出すことができると共に意匠的にも優れた外観を長期に亘り発揮することができ、さらに構造が簡単にして容易に且つ正確に作製することができる重箱を提供するにある。
【課題を解決するための手段】
【０００６】
上記目的を達成するために、本発明の重箱は、請求項１に記載したように、複数の箱体を積み重ねると共に最上段の箱体に蓋体を被せてなる重箱であって、各箱体は矩形状の外枠の下端部に底板を一体に設けてなる箱主体とこの箱主体における外枠に内嵌、固定した矩形状の内枠とからなり、上記外枠を形成している四方の側壁板における少なくとも一枚の側壁板に図柄模様等を透かし彫りしてなる透孔を穿設していると共に、この側壁板の内面と該側壁板に重ね合わせた上記内枠を形成している側壁板の外面との間に化粧紙を介在させ、この化粧紙の化粧表面を上記透孔を通じて外部に臨ませてなる構造を有している。  
【０００７】
また、請求項２に係る発明は、上記のように構成した重箱において、外枠の側壁板の内面と内枠の側壁板の外面との間に化粧紙を介在させることなく、内枠の側壁板の外面を着色等による化粧層としてこの化粧層を透孔を通じて外部に臨ませた構造としている。
【０００８】
一方、請求項３に係る発明は、複数の箱体を積み重ねると共に最上段の箱体に蓋体を被せてなる重箱であって、蓋体の天板に図柄模様等を透かし彫りしてなる透孔を穿設していると共にこの天板の下面に化粧紙を介して下壁板を固着してその化粧紙の化粧表面を上記透孔を通じて外部に臨ませてなる構造としている。
【０００９】
このように構成した請求項３に記載の重箱において、請求項４に係る発明は、天板と下壁板との間に化粧紙を介在させることなく、下壁板の上面を化粧層としてこの化粧層を透孔を通じて外部に臨ませていることを特徴とし、請求項５に係る発明は、この重箱を構成している箱体として、上記請求項１に記載した箱体と同じ構造を有する箱体、即ち、矩形状の外枠の下端部に底板を一体に設けてなる箱主体とこの箱主体における外枠に内嵌した矩形状の内枠とからなることを特徴とする。
【００１０】
さらに、上記請求項１、請求項２又は請求項５に記載の重箱において、請求項６に係る発明は、上記外枠の下端部を底板の下面から下方に突出させて下側嵌合突縁部に形成している一方、内枠の上端部を外枠の上端面から上方に突出させて上記下側嵌合突縁部内に係脱可能な上側嵌合突縁部に形成していることを特徴とする。
【発明の効果】
【００１１】
請求項１に係る発明によれば、重箱を構成する箱体は矩形状の外枠の下端部に底板を一体に設けてなる箱主体とこの箱主体における外枠に内嵌、固定した矩形状の内枠とからなるものであるから、箱主体の四方内面に内枠を構成する４枚の側壁板をそれぞれ重ね合わせるようにして固定することにより、簡単且つ正確に箱体を形成することができて多量生産に適するのは勿論、上記外枠を形成している四方の側壁板における少なくとも一枚の側壁板に図柄模様等を透かし彫りしてなる透孔を穿設しているので、松竹梅等のようなシンプルな図柄模様であっても重厚にして立体感に溢れた外観を呈して内部に収納する豪華な料理に相応しい高級感をかもし出すことができる。
【００１２】
その上、この透かし彫りからなる透孔を穿設している外枠の側壁板の内面に内枠を形成している側壁板を化粧紙を介して重ね合わせた状態で固定しているので、透孔が外枠を内外面間に亘って貫通しているにもかかわらず、その透孔の内側開口端を内枠によって閉塞されて外部から塵埃等が箱体内に入るのを確実に阻止することができるばかりでなく、化粧紙の色彩等の化粧面が透かし彫りからなる透孔を通じて外部に現出した状態となって、外枠の厚みに相当する透孔の深さがこの化粧紙により一層顕現されて意匠的にも優れた外観を呈することができると共に、化粧紙が透孔の奥側に設けられているから損傷を受ける虞れもなく、且つ、汚れが付き難くて、長期に亘って優れた意匠的外観を発揮することができる。
【００１３】
なお、上記化粧紙を、外枠を構成する側壁板に設けた透かし彫りよりなる透孔に対向した内枠の側壁板の外面に予め押し付けて貼着しておくことにより、皺などが生じることなく透孔の内側開口端を全面的に閉塞した状態にして外枠の内面と内枠の外面との間に簡単且つ正確に介在させることができる。
【００１４】
また、請求項２に係る発明によれば、外枠の側壁板の内面と内枠の側壁板の外面との間に化粧紙を介在させることなく、内枠の側壁板の外面を着色等による化粧層としてこの化粧層を透孔を通じて外部に臨ませているので、この化粧層によって上記化粧紙同様に外枠に設けている透かし彫りからなる透孔の奥行き感を顕現させて重厚な立体感をかもし出すことができる等の作用効果を奏する。
【００１５】
一方、請求項３に係る発明によれば、重箱における蓋体の天板に図柄模様等を透かし彫りしてなる透孔を穿設していると共にこの天板の下面に化粧紙を介して下壁板を固着してその化粧紙の化粧表面を上記透孔を通じて外部に臨ませているので、重箱の蓋体は積み重ねている浅底の箱体の一枚の側壁板よりもはるかにその面積が広いから、複数の比較的大きな透かし彫りからなる透孔を設けることができ、そのため、一層優れた重厚感、立体感を顕現して高級な重箱を構成することができ、その上、蓋体と共に各箱体の外枠を構成している側壁板にも上記同様に透かし彫りからなる透孔を設けておくことによって、立体感、重厚感と共に華麗さも兼備した重箱を提供することができる。また、蓋体の下面に固着した下壁板によって蓋体の強度を増大させることができる。
【００１６】
また、請求項４に係る発明によれば、天板と下壁板との間に化粧紙を介在させることなく、下壁板の上面を化粧層としてこの化粧層を透孔を通じて外部に臨ませているので、この化粧層によって上記化粧紙同様に蓋体に設けている透かし彫りからなる透孔の奥行き感を顕現させて重厚な立体感をかもし出すことができる等の作用効果を奏する。なお、上記請求項３に記載の重箱においても、箱体として請求項１に記載した重箱と同様に矩形状の外枠の下端部に底板を一体に設けてなる箱主体とこの箱主体における外枠に内嵌した矩形状の内枠とから構成しておくことが好ましい。
【００１７】
上記重箱を構成する各箱体において、請求項６に係る発明によれば、外枠の下端部を底板の下面から下方に突出させて下側嵌合突縁部に形成している一方、内枠の上端部を外枠の上端面から上方に突出させて上記下側嵌合突縁部内に係脱可能な上側嵌合突縁部に形成しているので、これらの上下嵌合突縁部の形成が簡単且つ正確に形成することができると共に、下段側の箱体の上端嵌合突縁部に上段側の箱体の下側嵌合突縁部を被嵌させることによって箱体を複数段に安定した状態で積み重ねることができる。
【発明を実施するための最良の形態】
【００１８】
本発明の具体的な実施の形態を図面について説明すると、図１は箱体１を三段重ねしていると共に最上段の箱体１に蓋体10を被せてなる重箱の斜視図、図２はその縦断正面図、図３は最上段の箱体１と蓋体10との分解斜視図であって、この箱体１及び蓋体10は厚みが４〜７mm程度の木製板からなり、箱体１は横長長方形状の４枚の側壁板2a、2b、2c、2dを四方に配して対向する端部同士を接着剤を介して接合、固定することにより矩形状に形成してなる外枠２と、この外枠２の下端部に一体に取付けている底板３と、外枠２を構成している上記側壁板よりも一回り小さい横長長方形状の４枚の側壁板4a、4b、4c、4dを組み合わせて上記外枠２に内嵌、固定している内枠４とから構成されてあり、上記外枠２の下端部に上記底板３を固定することによって箱主体1Aを形成していると共にこの箱主体1Aの底板３の四方端縁部の上面に内枠４の下端面を当接させた状態で固定している。
【００１９】
外枠２に底板３を固定することによって箱主体1Aを形成するには、外枠２を構成している上記４枚の側壁板2a〜2dにおいて、互いに平行に対向する一組の側壁板2b、2dにおける下端面から上方に一定間隔を存した下端部内面に図４、図５に示すように、底板３の厚みに相当する上下幅を有する水平凹溝５、５を全幅に亘って刻設してこの水平凹溝５、５に底板３の互いに平行な端部を嵌め込み、水平凹溝５、５を設けていない他方の一組の側壁板2a、2cの両端部を水平凹溝５、５を設けている上記側壁板2b、2dの端部に直角状態に接合し、且つ、その下端部内面に底板３の他方の平行な端面を密接させた状態で固着しているが、四枚の側壁板2a〜2dの下端部内面に上記水平凹溝５を設けておき、これらの水平凹溝５に底板３の四方端部を嵌め込むことによって箱主体1Aを構成してもよい。さらに、側壁板2a〜2dとして別々に分離させておくことなく、４枚分の側壁板の長さに等しい長尺帯状の板材板材に側壁板の長さ間隔毎にＶ溝を施しておき、このＶ溝を介して隣接する側壁板を互いに直角に折り曲げることにより矩形状の外枠２を形成してもよい。
【００２０】
上記のように構成した箱主体1Aにおいて、外枠２を形成している四方の側壁板2a〜2dにおける互い平行に対向する一組の側壁板2a、2cの中央部に、松竹梅等の適宜な図柄模様を該側壁板2a、2cの内外面間に貫通するように透かし彫りしている。以下、この図柄模様等の透かし彫りを透孔６とする。この透かし彫りよりなる透孔６は文字であってもよく、或いは、図柄模様と文字との組み合わせであってもよい。さらに、このような透孔６は側壁板2a、2cの中央部に限らず所望部分に１〜数個、設けておいてもよく、また、他の側壁板2b、2dにも設けておいてもよいものであり、要するに、少なくとも一枚の側壁板に透孔６を設けておけばよい。
【００２１】
この箱主体1Aにおける外枠２に内嵌している上記内枠４は、外枠２を構成している側壁板2a〜2dの高さ（縦幅）よりも低く且つ底板３の上面と外枠２の上端面間の高さよりも高い縦幅を有する横長長方形の４枚の側壁板4a〜4bをそれぞれ外枠２における対向する側壁板2a〜2dの内面にその外面を当てがい且つ隣接する側壁板の対向端部同士を互いに直角に接合させた状態で接着剤により一体に固着してなるものであるが、側壁板4a〜4dを別々に形成しておくことなく、上述したように４枚分の側壁板の長さに等しい長尺帯状の板材板材に側壁板の長さ間隔毎にＶ溝を施しておき、このＶ溝を介して隣接する側壁板を互いに直角に折り曲げることにより矩形状の内枠４を形成してもよい。
【００２２】
さらに、図４、図６に示すように、上記透かし彫りよりなる透孔６を設けた外枠２の側壁板2a、2cの内面に重ね合わせている内枠４の側壁板4a、4cの外面中央部には金色や銀色等に着色した色紙等からなる厚みが0.1 〜0.2mm 程度で上記透孔６を被覆できる大きさの矩形状等に裁断された化粧紙７が貼着されてあり、この化粧紙７の着色化粧表面を上記透孔６を通じて外部に臨ませている。化粧板７を側壁板2a、2cの外面中央部に予め貼着しておくには、ジャッキ等の押圧具によって接着剤を介して木質板からなる側壁板2a、2cを僅かに凹ませるようにしながら圧着されるが、外枠２の側壁板2a、2cの内面に透孔６を被覆するようにして貼着しておいてもよい。
【００２３】
このように構成した箱体１は、上述したように内枠４の上端部は外枠２の上端面から上方に突出していてこの突出端部により上側嵌合突縁部８を形成している一方、底板３の下面から下方に突出している外枠２の下端部により、その突出長さが上記上側嵌合突縁部８の高さよりも長い下側嵌合突縁部９を形成してあり、下段側の箱体１の上側嵌合突縁部８に上段側の箱体１の下側嵌合突縁部９を開蓋可能に被嵌させて図１、図２に示すように三段重ねにし、最上段の箱体１に蓋体10を被せることによって重箱を構成している。
【００２４】
蓋体10は、箱主体1Aの外枠２と平面形状が同一形状の矩形状天板11の四方端縁部における下面に下方に向かって上記箱主体1Aの上側嵌合突縁部８の高さよりも突出長が長い一定長さ（高さ）の周壁部12を一体に設けてなり、この周壁部12を最上段の箱体１の上側嵌合突縁部８に取り外し可能に被嵌させている。
【００２５】
箱体１とこの蓋体10とは上述したように木製板から形成されているので、白木調の美麗な外観を呈する重箱を構成してあり、その上、各箱体１の外枠２を形成している側壁板2a、2cに松竹梅等の図柄模様を透かし彫りしてなる透孔６を穿設していると共に外枠２に内嵌した内枠４の側壁板4a、4cと外枠２の上記側壁板2a、2cとの間に化粧紙７を介在させてこの化粧紙７を透孔６を通じて外部に臨ませているので、白木調の無垢な外観を呈した箱体１の表面に対して透かし彫りからなる透孔６が化粧紙によってその深みを外部に顕現して斬新にして重厚で且つ立体感に溢れた外観を呈する重箱を提供することができるものである。
【００２６】
このような重箱を製造するには、４枚の側壁板2a〜2dを組み合わせて矩形状の外枠２を形成する際に、予め、少なくとも一枚の側壁板に図柄模様等を透かし彫りしてなる透孔６を設けておいたのち、これらの側壁板2a〜2dを底板３と共に組み合わせることによって下端部を底板３の下面から下方に突出した下側嵌合突縁部９に形成してなる矩形状の外枠２を作製し、しかるのち、この外枠２の四方の側壁板2a〜2dの内面にそれぞれ内枠形成用側壁板4a〜4dを固着することにより内枠４を一体に設け、上記透孔６に対向するこの内枠４の側壁板の外面に予め貼着しておいた化粧紙７を透孔６を通じて外部に臨ませると共に内枠４の上端部を外枠２の上端から上方に突出させて上側嵌合突縁部８に形成してなる箱体１を作製し、この箱体１を数段に重ね合わせると共に最上段の箱体１に蓋体10を被せることによって製造することができる。
【００２７】
なお、各箱体１において、透孔６を設けている外枠２の側壁板とこの外枠２に内嵌した内枠４の側壁板との接合した対向面間に化粧紙７を介在させてこの化粧紙７を上記透孔６から外部に臨ませているが、このような化粧紙７を設けることなく、透孔６に対向した内枠４の側壁板の外面に着色等によって化粧層を設け、この化粧層を透孔を通じて外部に臨ませておいてもよい。また、重箱を構成した全ての箱体１と最上段の箱体１に被せている蓋体10とを適宜に着色したり、模様付けを施しておいてもよい。
【００２８】
以上の実施例においては、重箱を構成する箱体１側に図柄模様を透かし彫りしてなる透孔６を設けているが、図７〜図９に示すように、重箱における蓋体10に透孔6'を設けておき、この透孔6'の開口下端を化粧紙7'により閉止した状態にして該化粧紙7'を透孔6'を通じて外部に臨ませた構造としておいてもよい。
【００２９】
詳しくは、上記のように構成した複数の箱体１を、下側の箱体１の上側嵌合突縁部８に上側の箱体１の下側嵌合突縁部９を被嵌して積み重ねると共に最上段の箱体１の上側嵌合突縁部８に蓋体10の天板11の周縁部から下方に突設している周壁部12を被せてなる重箱において、蓋体10の天板11の数箇所（図においては３箇所）に例えば、松、竹、梅の図柄模様を所定間隔毎に透かし彫りしてなる透孔6'、6'、6'を穿設していると共に、この天板11の下面に金色や銀色等に着色した色紙等からなる厚みが0.1 〜0.2mm 程度の化粧紙7'を介して下壁板13を固着し、その化粧紙7'の化粧表面（上面）を上記透孔6'、6'、6'を通じて外部に臨ませいる。
【００３０】
この場合、一枚の化粧紙7'によって上記複数の透孔6'、6'、6'を全て被覆することができるように、化粧紙7'を矩形状等の大きさに裁断してあり、この一枚の化粧紙7'を下壁板13の上面に貼着したのち、下壁板13を天板11の下面に重ね合わせるように固着している。下壁板13は、上記周壁部12の四方内周面にその四方端面が接する大きさの矩形状木製板からなり、この下壁板13を周壁部12に嵌め込んで接着剤を介して天板11の外周部下面又は周壁部12の内周面に接合、固着している。
【００３１】
このように、重箱における各箱体１の側壁板2a〜2dよりも面積が大きい蓋体10の天板11に透かし彫りからなる透孔6'を設けると共に該天板11の下面に重ね合わせている下壁板13の上面に貼着した化粧紙7'を上記透孔6'を通じて外部に臨ませているので、上記箱体１における外枠２の側壁板2a、2cに設けている透孔６よりも大きな透孔6'を数箇所に設けることができて、一層優れた重厚感、立体感を顕現して高級な重箱を構成することができる。ものである。
【００３２】
なお、この実施例においても、化粧紙7'に代えて下壁板13の上面に着色等によって化粧層を設け、この化粧層を透孔6'透孔を通じて外部に臨ませておいてもよい。また、本発明の重箱においては、上記各箱体１と蓋体10との両方に化粧紙７、7'を臨ませた透孔６、6'を設けてなる構造としておいてもよい。また、本発明の重箱は木製に限らず、木目調等の印刷を施してなる化粧シートを貼着した合成樹脂製板材によって構成しておいてもよい。
【図面の簡単な説明】
【００３３】
【図１】重箱の斜視図。
【図２】その縦断正面図。
【図３】最上段の箱体と蓋体との分解斜視図。
【図４】箱体の分解斜視図。
【図５】箱体の縦断正面図。
【図６】箱体の縦断側面図。
【図７】蓋体に透孔を設けた重箱の斜視図。
【図８】その縦断正面図。
【図９】蓋体と化粧紙と下壁板との分解斜視図。
【符号の説明】
【００３４】
１  箱体
1A  箱主体
２  外枠
2a〜2d  側壁板
３  底板
４  内枠
4a〜4d  側壁板
６、6'  透孔
７  化粧紙
８  上側嵌合突縁部
９  下側嵌合突縁部
10  蓋体
11  天板
13  下壁板
【図１】
2008195440.tif 000003
【図２】
2008195440.tif 000004
【図３】
2008195440.tif 000005
【図４】
2008195440.tif 000006
【図５】
2008195440.tif 000007
【図６】
2008195440.tif 000008
【図７】
2008195440.tif 000009
【図８】
2008195440.tif 000010
【図９】
2008195440.tif 000011